(57)【要約】【課題】受動パルス・プリシェイピング付きの光増幅器を内蔵するサブピコ秒光パルス源を提供する。【解決手段】本発明は、２〜２０nmの範囲内の光ゲイン帯域幅を有するシングルパスまたはダブルパス光増幅器に基づくサブピコ秒の光パルスの発生源に関するものである。シード光パルスをプリシェイプする受動パルスシェイピング・フィルタを光増幅器の前段に設けて、光増幅器におけるゲイン狭帯域化効果を受動的に事前補償する。受動パルスシェイピング・フィルタは反射薄膜フィルタに基づくことができ、この反射薄膜フィルタをミラーに結合してマルチパス構成にすることができる。【選択図】図１
2018026585.tif 000002
【特許請求の範囲】
【請求項１】
サブピコ秒のパルス継続時間のシード光パルスを発生するように構成されたシード光源
と、
前記シード光パルスを増幅するように構成された光増幅器と、
前記光増幅器の動作上の前段に配置されたパルスシェイピング・フィルタとを備え、
前記光増幅器は、ベル形ゲインスペクトルを提供するゲイン素子を備え、前記ベル形ゲ
インスペクトルは、２〜２０ナノメートルの範囲内のゲイン帯域幅、及びシングルパスで
少なくとも３dBのゲインの大きさを有し、
前記パルスシェイピング・フィルタは、前記シード光パルスが前記光増幅器内で増幅さ
れる前に、前記シード光パルスのスペクトルを拡幅し、これにより前記光増幅器における
ゲイン狭帯域化効果を事前補償する、光パルス源。
【請求項２】
前記光増幅器がシングルパス光増幅器である、請求項１に記載の光パルス源。
【請求項３】
前記光増幅器がダブルパス光増幅器である、請求項１に記載の光パルス源。
【請求項４】
前記パルスシェイピング・フィルタが薄膜ノッチフィルタを備え、この薄膜ノッチフィ
ルタは、当該薄膜ノッチフィルタの波長透過特性においてノッチを有し、このノッチは、
前記ゲイン素子の前記ベル形ゲインスペクトルと中心波長及びスペクトル形状が一致する
、請求項１に記載の光パルス源。
【請求項５】
前記薄膜ノッチフィルタの前記波長透過特性における前記ノッチが、幅２〜２０nmであ
る、請求項４に記載の光パルス源。
【請求項６】
前記薄膜ノッチフィルタが、１０％〜３０％の範囲内のノッチの深さを有する、請求項
４に記載の光パルス源。
【請求項７】
前記ゲイン素子がＹｂでドープした材料を含む、請求項１に記載の光パルス源。
【請求項８】
前記Ｙｂでドープした材料が、Ｙｂ：ＹＡＧ、Ｙｂ：ＫＹＷ、Ｙｂ：ＫＧＷ、及びＹｂ
：ＣＡＬＧＯのうちの１つを含む、請求項７に記載の光パルス源。
【請求項９】
前記ゲイン素子がＹｂでドープした単結晶材料のロッドを備えている、請求項１に記載
の光パルス源。
【請求項１０】
前記パルスシェイピング・フィルタが、前記薄膜ノッチフィルタと光学的に結合されて
マルチパス構成をなすミラーを備え、前記シード光パルスが、前記光増幅器に入る前に、
前記薄膜ノッチフィルタによって２回以上フィルタ処理される、請求項４に記載の光パル
ス源。
【請求項１１】
前記パルスシェイピング・フィルタが、当該パルスシェイピング・フィルタの中心波長
を前記ゲイン素子の前記ベル形ゲインスペクトルの中心波長と合わせるために回転可能で
ある、請求項１に記載の光パルス源。
【請求項１２】
前記パルスシェイピング・フィルタを回転させるための回転ステージを備えている、請
求項１１に記載の光パルス源。
【請求項１３】
前記ゲイン素子が、少なくとも１０dBの光ゲインを提供するように構成されている、請
求項１に記載の光パルス源。
【請求項１４】
前記パルスシェイピング・フィルタが、前記ゲイン素子の前記ベル形ゲインスペクトル
の中心周波数から離れた波長の入射光の少なくとも９５％を透過させ、前記ゲイン素子の
前記ベル形ゲインスペクトルの中心波長の入射光の８５％未満を透過させるように構成さ
れている、請求項１に記載の光パルス源。
【請求項１５】
前記シード光パルスが前記ゲイン素子を各方向に最大でも１回進むように、前記光増幅
器が構成されている、請求項１に記載の光パルス源。
【請求項１６】
前記シード光パルスが前記薄膜ノッチフィルタを透過する回数、または前記シード光パ
ルスが前記薄膜ノッチフィルタによって反射される回数が、前記シード光パルスが前記ゲ
イン素子を通過する回数を超えるように、前記パルスシェイピング・フィルタが構成され
ている、請求項１０に記載の光パルス源。
【請求項１７】
前記ゲイン素子が、シングルパスにおいて７〜１３dBの範囲内のゲインの大きさを有す
るＹｂ：ＹＡＧ単結晶材料のロッドを備え、前記薄膜ノッチフィルタの前記波長透過特性
における前記ノッチが、半分の深さにおいて幅３〜５nmである、請求項４に記載の光パル
ス源。
【発明の詳細な説明】
【技術分野】
【０００１】
本発明は一般に光パルス源に関するものであり、特に、受動パルス・プリシェイピング
（事前整形）付きの光増幅器を内蔵するサブピコ秒光パルス源に関するものである。
【背景技術】
【０００２】
超短光パルスは、マイクロマシニング（微小機械加工）、眼科医療、生物医学撮像、超
高速分光、超高速光ネットワーク、反応トリガ、等のような材料処理を含む種々の用途に
おいて有用である。ピコ秒及びフェムト秒（fs）の継続時間の高エネルギー光パルスは、
シード光パルスを、モード同期レーザーのようなより低出力の光源から光ポンピング型広
帯域パワーアンプ（出力増幅器）を通して送信することによって生成される。しかし、こ
うした増幅器を通って伝搬する短いパルスは、ゲイン狭帯域化及び自己位相変調のような
振幅及び／または位相の劣化が生じて、出力パルスの不所望な広がりをもたらし得る。光
増幅器におけるパルス形状劣化は、少なくとも部分的には、例えば音響光学変調器を用い
た時間的なパルスシェイピング（パルス整形）、あるいは液晶光空間変調器を用いたスペ
クトル的なパルスシェイピングのような、電気通信用途向けに以前に開発された超高速能
動パルスシェイピング技術によって解消することができる。光ゲイン帯域幅を２００〜３
００ナノメートル（nm）まで高めることができる、Ｔｉ：サファイア・ゲイン素子に基づ
くマルチパス（多回通過）及び回生（再生）光増幅器用の能動パルスシェイピング技術を
実現することは、科学研究用途向けに適合した３〜２０fsパルスの光源をもたらした。し
かし、能動光パルスシェイピングは、高速光変調器、及び複雑な制御及びフィードバック
ループの使用を必要とすることがあり、これにより、増幅器の設計を大幅に複雑化してコ
ストを上昇させる。Ｔｉ：サファイア増幅器におけるパルスシェイピング用の他の技術は
、増幅器のマルチパス・キャビティ内に挿入された浅いキャビティ内広帯域フィルタの使
用に頼る。しかし、この技術は、例えば単結晶Ｙｂ：ＹＡＧロッドまたはディスクのよう
な、Ｔｉ：サファイア材料よりもずっと高いピークゲイン値を有するがより狭いゲイン帯
域幅を有するゲイン素子に基づくシングルパス（単回通過）光増幅器には直接適用可能で
はないことがある。継続時間４００〜８００fsの幾分長いサブピコ秒を発生することがで
きる、パス（１回通過）毎に１０dB以上のゲインを有するこうしたゲイン素子は、工業用
途向けに関心を持たれ、廉価なパルスシェイピング器の恩恵を受けて、上記増幅器におけ
るゲイン狭帯域化に対抗することができる。
【０００３】
従って、高ゲイン狭帯域幅のゲイン素子を用いた光源においてサブピコ秒の光パルスを
提供するための現在の解決策及び技術に関連して、大きな問題及び短所が存在し得ること
がわかる。
【先行技術文献】
【非特許文献】
【０００４】
【非特許文献１】Peter J. Delfyett et al., “Ultrafast semiconductor laser-diode-seeded Gr:LiSAF regenerative amplifier system”, APPLIED OPTICS, 20 May 1997, Vol. 36, No. 15
【非特許文献２】Xiaomin Liu et al., “Highly-stable monolithic femtosecond Yb-fiber laser system based on photonic crystal fibers”, OPTICS EXPRESS 19 July 2010/ Vol. 18, No. 15, pp. 15476-15483
【非特許文献３】T. Sudmeyer et al., “High-power ultrafast thin disk laser oscillators and their potential for sub-100-femtosecond pulse generation”, Appl Phys B (2009) 97:pp. 281-295
【非特許文献４】F. Brunner et al., “Diode-pumped femtosecond Yb:KGd(WO4)2 laser with 1.1-W average power”, OPTICS LETTERS August 1, 2000, Vol. 25, No. 15, pp. 1119-1121
【非特許文献５】Yoann Zaouter et al., “Direct amplification of ultrashort pulses in μ-pulling-down Yb:YAG single crystal fibers”, OPTICS LETTERS, March 1, 2011, Vol. 36, No. 5, pp. 748-750
【発明の概要】
【課題を解決するための手段】
【０００５】
従って、本発明は、サブピコ秒の継続時間のシード光パルスを発生するためのシード光
源、このシード光パルスを増幅するための光増幅器、及びシード光パルスの光路内に配置
されたパルスシェイピング・フィルタを備えた光パルス源に関するものであり、このパル
スシェイピング・フィルタは、シード光パルスが増幅される前にそのスペクトルを広げて
、光増幅器におけるゲイン狭帯域化効果を事前補償する。光増幅器は、２〜２０ナノメー
トルのゲイン帯域幅、及び少なくとも３dBのシングルパス（単回通過）光ゲインを有する
ベル（釣鐘）形ゲインスペクトルを提供するゲイン素子を備えている。光増幅器は、シン
グルパス増幅器またはダブルパス（二回通過）増幅器とすることができる。本発明の特徴
によれば、パルスシェイピング・フィルタは、２〜２０nmの範囲内のノッチ帯域幅を有す
る薄膜ノッチフィルタを備えることができる。本発明の他の特徴によれば、パルスシェイ
ピング・フィルタは、薄膜ノッチフィルタに光学的に結合されてマルチパス構成をなすミ
ラーを備えることができ、シード光パルスは、光増幅器に入る前に薄膜ノッチフィルタに
よって２回以上フィルタ処理される。
【０００６】
本明細書に開示する好適例を、添付する図面を参照しながらより詳細に説明し、これら
の図面は本発明の好適な実施形態を表し、図面中では、同様の要素は同様の参照番号で示
す。
【図面の簡単な説明】
【０００７】
【図１】受動パルス・プリシェイピング器を含む光パルス源の全体ブロック図である。
【図２】シードパルスの光スペクトル(a)、増幅器のゲイン及びゲイン狭帯域化効果(b)、好適なパルス・プリシェイピング・フィルタの透過特性(c)、プリシェイピング済シードパルス(d)、及び増幅された出力パルス(e)を概略的に例示するグラフである。
【図３Ａ】シングルパス光増幅器の前段に反射型パルスシェイピング・フィルタを有する、図１の光パルス源の実施形態の概略図である。
【図３Ｂ】薄膜ノッチフィルタの概略図である。
【図４】ダブルパス光増幅器の前段に反射型パルスシェイピング・フィルタを有する光パルス源の概略図である。
【図５】ダブルパス光増幅器の前段に透過型パルスフィルタを有する、図４の光パルス源の概略図である。
【図６】ダブルパス光増幅器の内部に第２パルスシェイピング・フィルタを有する光パルス源の概略図である。
【図７】パルスシェイピング・フィルタのマルチパスの具体例の概略図である。
【図８】シングルパス光増幅器の前段にマルチパス・パルスシェイピング・フィルタを有する、図３の光パルス源の実施形態の概略図である。
【図９】パルスシェイピング・フィルタを用いた薄膜ノッチフィルタの好適な透過特性を例示するグラフである。
【発明を実施するための形態】
【０００８】
以下の説明では、本発明の完全な理解をもたらすために、限定ではなく説明目的で、特
定の光デバイス、光学アセンブリ、光学技術、等のような具体的詳細を記載する。しかし
、本発明は、これらの具体的詳細から離れた他の実施形態で実施することができることは
、当業者にとって明らかである。他の例では、本発明の説明を曖昧にしないために、周知
の方法、装置、及び光学アセンブリは省略する。なお、本明細書で用いる「第１」、「第
２」等は順序付けを言い含めることは意図しておらず、むしろ、特に断りのない限り、１
つの要素を他の要素と区別することを意図している。本明細書で用いる「透過」及び「透
過特性」は、ファイバ内への入力スペクトルをファイバからの出力スペクトルに関係付け
る光ファイバの特性を称し、従って、透過型フィルタ及び反射型フィルタの両方を記述す
るために用いることができる。
【０００９】
本明細書に記載する実施形態は、ゲイン素子を利用する光パルス増幅器に関するもので
あり、このゲイン素子は、適切なポンピングエネルギーでポンピングされると、比較的高
い大きさの光ゲインを、例えば約３dB以上をシングルパスで、好適には約１０dB以上をシ
ングルパスで、但し比較的低いゲイン帯域幅で、例えば２０ナノメートル（nm）未満、よ
り典型的には２〜１０nmのゲイン帯域幅で提供することができる材料に基づく。その例は
、イッテルビウム（Ｙｂ）でドープした材料、例えばＹｂ：ＹＡＧ（Ｙｂでドープしたイ
ットリウム・アルミニウム・ガーネット）、Ｙｂ：ＫＹＷ、Ｙｂ：ＫＧＷ（Ｙｂでドープ
した単斜晶二重タングステン酸カリウム）、Ｙｂ：ＣＡＬＧＯ（Ｙｂ：ＣａＧｄＡｌＯ4
）、Ｙｂ：Ｌｕ2Ｏ3、及びＹｂ：ＬｕＳｃＯ3、及び特にこれらの材料に基づく単結晶ゲ
イン素子を含むが、これらに限定されない。本発明の実施形態では、「幅」とは、パルス
またはスペクトル線またはピークのような時間領域または周波数領域で定義される特徴に
関して用いる際には、特に明確な断りのない限り、それぞれの特徴の半値全幅（ＦＷＨＭ
：full width half maximum）を意味する。
【００１０】
図１及び２を参照すれば、図１に大まかに例示する光パルス源１０は、サブピコ秒の継
続時間のシード光パルス１１を発生するように構成されたシード光源５、及びシード光パ
ルスを増幅してシード光パルスからより大きなパルスエネルギーの出力パルス１５を生成
するための光増幅器３０を含む。シード光源５は、光増幅器３０と波長が整合する所望の
幅のあらゆる適切な光パルス源を用いて具体化することができ、バルク半導体レーザー、
マイクロディスク・ファイバ、あるいは能動、受動、または混成モード同期を有する半導
体レーザーを含む。こうした光パルス源の例は、Peter J. Delfyett et al., “Ultrafas
t semiconductor laser-diode-seeded Gr:LiSAF regenerative amplifier system”, APP
LIED OPTICS, 20 May 1997, Vol. 36, No. 15（非特許文献１）、Xiaomin Liu et al., 
“Highly-stable monolithic femtosecond Yb-fiber laser system based on photonic c
rystal fibers”, OPTICS EXPRESS 19 July 2010/ Vol. 18, No. 15, pp. 15476-15483（
非特許文献２）、T. Sudmeyer et al., “High-power ultrafast thin disk laser oscil
lators and their potential for sub-100-femtosecond pulse generation”, Appl Phys
B (2009) 97:pp. 281-295（非特許文献３）、及びF. Brumner et al., “Diode-pumped 
femtosecond Yb:KGd(WO4)2 laser with 1.1-W average power”, OPTICS LETTERS August
1, 2000, Vol. 25, No. 15, pp. 1119-1121（非特許文献４）に記載され、これらの文献
のすべてを参照する形で本明細書に含める。一例として、１つの代表的な実施形態では、
シード光源５は、現在技術において既知の、モード同期のＹｂでドープしたファイバまた
は半導体レーザー源の形態とすることができ、サブピコ秒のシード光パルス１１を放出す
るように構成され、シード光パルス１１は例えば長さ２、３百フェムト秒とすることがで
き、１００fs〜６００fsのパルス継続時間、及びスペクトル幅３２（図２のパネル(a)）
を有することができる。本明細書に記載する１つ以上の好適な実施形態では、光増幅器３
０が、動作中にゲイン中心波長λ0をピークとするベル形ゲインスペクトル３３（図２の
パネル(b)）を有し、かつスペクトル帯域幅３４を有する光ゲイン素子を含むか、あるい
は光増幅器３０をこうした光ゲイン素子の形態とすることができ、スペクトル帯域幅３４
は、２〜２０nmの範囲内とすることができ、あるいはＹｂでドープしたゲイン材料につい
ては典型的には２〜１０nmの範囲内とすることができる。このゲイン素子は、少なくとも
３dBの大きさの、より好適には少なくとも１０dB以上の、例えば１０〜３０dBの範囲内の
、シングルパスの光ゲインを提供することができる。従って、増幅器３０はシングルパス
増幅器またはダブルパス増幅器とすることができ、シードパルスはゲイン素子を各方向に
１回だけ通って進む。ゲイン素子を１回または２回進んだ後に高いパルス出力を生じさせ
る比較的高いシングルパス・ゲインに起因して、パルスをゲイン素子に３回以上通すこと
は、ビーム劣化をもたらし得るゲイン媒体中のゲイン飽和及び／またはゲイン媒体中の有
害な熱的効果の理由から、有用でないことがある。
【００１１】
ここで、図１を引き続き参照しながら図２を参照する。シード光パルス１１の光スペク
トルを同図のパネル(a)内に概略的に例示し、シード光パルス１１には、現在技術におい
て一般に知られている光増幅器３０内のゲイン狭帯域化効果により、光増幅器３０内でパ
ルス広がり効果が生じ得る。光増幅器におけるゲイン狭帯域化は、増幅器のゲインスペク
トル（図２(b)）がシード光パルス１１のスペクトル幅に近くなるか、このスペクトル幅
よりも小さくなると発生し、これにより、ゲインスペクトル３３のピークに対応するゲイ
ン中心波長λ0に近い波長には、ゲインピーク波長λ0からより離れた波長よりも強い増幅
がなされ、パルスが増幅器を通って伝搬する際にパルスの光スペクトルの狭帯域化が生じ
、時間領域内では出力パルスの対応する広がりが生じる。このことを図２(b)に概略的に
例示し、ここでは、実線の曲線３３が増幅器のゲインスペクトルを例示し、破線の曲線３
５が、シード光パルス１１が光増幅器３０内に直接送り込まれた際の、出力光パルスのよ
り狭いスペクトルを例示し、出力パルスのスペクトル幅３６は入力シードパルスのスペク
トル幅よりも小さい。一例として、１００〜６００fsの範囲内の時間幅を有するシード光
パルスを、増幅器３０の出力において約２倍以上の倍率で時間的に広げることができ、こ
のことは、１ピコ秒を超える出力パルス１５のパルス幅を生じさせることができる。
【００１２】
ここで図２を引き続き参照しながら再び図１を参照する。パルスシェイピング・フィル
タ２０を、シード光パルス１１の経路内の、増幅器３０の前段に配置して、増幅器３０に
おける、出力パルス１５のパルス幅に対する不所望なゲイン狭帯域化の効果を解消するか
少なくとも減少させることができる。パルスシェイピング・フィルタ２０は、シード光パ
ルス１１の光スペクトルを、光増幅器３０における増幅の前に広げるように構成され、こ
れにより、光増幅器３０におけるパルススペクトルの狭帯域化を事前補償する。プリシェ
イプ（事前整形）された、即ちパルスシェイピング・フィルタ２０の動作によってスペク
トルを拡幅されたシード光パルスを、本明細書ではプリシェイピング済シードパルス１３
またはスペクトル拡幅済シードパルス１３とも称することがある。好適なフィルタ２０の
透過特性を図２(c)に概略的に例示し、この透過特性は、ベル形ゲインスペクトルの中心
波長λ0ではその両側部よりも強いシード光パルス中の光を減衰させるように設定され、
これにより、シードパルス・スペクトルの最上部を効果的に平坦化し、こうしてシードパ
ルス・スペクトルを拡幅し、即ちそのＦＷＨＭ幅を増加させる。図２(c)に例示するよう
に、フィルタ２０は実質的に、ノッチを有する、即ちその透過特性における所望のノッチ
中心波長λfの所に極小値１９を有するノッチフィルタとして記述することができる。好
適な実施形態では、ゲイン中心波長λ0がシードパルス・スペクトル３１の中心波長と一
致し、フィルタ２０は中心波長λfを中心とするノッチ１９を有するように構成され、中
心波長λfは、増幅器のゲイン素子のベル形ゲインスペクトル３３の中心波長λ0にほぼ等
しく、即ちλf＝λ0であり、図２(d)に示すように、フィルタ２０の出力におけるプリシ
ェイピング済シードパルス１３の平坦化された光スペクトル３８を生じさせる。ゲイン中
心波長λ0とシードパルス・スペクトル３１の中心波長とが一致しない場合、フィルタ２
０の透過ノッチ１９は、増幅器のゲインスペクトル３３のピークとシードパルスのゲイン
スペクトル３１のピークとの間の適切な波長を中心とすることができ、この適切な波長は
、増幅器ゲインのシードパルス・スペクトルに対する狭帯域化効果を事前補償するように
選択することができる。フィルタ２０の透過特性３７におけるノッチ１９の形状及び深さ
を適切に選択することによって、増幅器３０のゲイン狭帯域化効果を実質的に解消するか
少なくとも減少させることができる。
【００１３】
ここで図３Ａを参照すれば、パルス源１００の形態の光パルス源１０の好適な具体例が
例示されている。光パルス源１０は、図１の増幅器３０を具体化したシングルパス光増幅
器１０１、シードパルス源１１０、及びパルスシェイピング・フィルタ２０を具体化した
反射薄膜フィルタ１２０を含み、シードパルス源１１０は実質的に、図２のシード光源５
を参照して前述したものとすることができる。シングルパス光増幅器１０１はゲイン素子
１３０を含み、ゲイン素子１３０は光ポンプ１４０に結合されて、結合レンズ１３８及び
ダイクロイックミラー１２５を用いた端面ポンピング構成の形をなし、ダイクロイックミ
ラー１２５は、増幅器の出力パルス１５用の出力カプラとしても機能する。他のポンピン
グ構成も可能であり、その全般が本発明の範囲内であることは明らかである。ゲイン素子
１３０は、例えばＹｂ：ＹＡＧ等のような適切なゲイン材料の薄型ロッドの形態とするこ
とができる。適切なゲイン素子の例は、例えば非特許文献３及びYoann Zaouter et al., 
“Direct amplification of ultrashort pulses in μ-pulling-down Yb:YAG single cry
stal fibers”, OPTICS LETTERS, March 1, 2011, Vol. 36, No. 5, pp. 748-750（非特許文献５）に記載され、これらの文献は共に参照する形で本明細書に含める。ゲイン素子１３０は、適切にポンピングされると、シード光パルス１１またはプリシェイピング済シードパルス１３用の光ゲインを提供し、例えば、Ｙｂ：ＹＡＧ製のゲイン素子１３０は、約９４０nmのポンプ波長で光学的にポンピングされると、約１０３０nmのゲインピーク波長λ0を中心とした光ゲインを、３〜６nmのゲインスペクトル幅３４で提供することができる。光ポンプ１４０は、例えば高輝度レーザーダイオードとすることができ、こうした高輝度レーザーダイオードは現在技術において既知のようにファイバ結合することができる。レンズ１２８を用いて、プリシェイピング済シードパルス１３のシードビームをゲイン素子１３０内に結合することができる。現在技術において一般に知られているように、ダイクロイックミラー１２５は、ポンプ光７７を通過させてゲイン素子１３０内に透過し、増幅された光パルス１５を出力方向に反射するように構成されている。一例として後方励起のポンピング構成を示しているが、前方励起のポンピング構成も可能であり、本発明に関係する増幅器１０１及びパルス源１００の動作の原理を変更しないことは明らかである。
【００１４】
図３Ｂを参照すれば、反射薄膜型ノッチフィルタ１２０は、例えば反射基板５１上に配
置された薄膜層５２の積層として具体化することができる。薄膜層５２の積層は、反射に
おいて、図２(c)及びフィルタ２０を参照して概略的に上述したようなノッチフィルタの
透過フィルタ特性３７を有するように構成することができる。薄膜フィルタ５２の積層に
よって提供されるノッチ１９の所望の深さ及び幅は、特定のゲイン素子１３０向けに選択
することができ、そしてポンピングパワー及び増幅レベルの目標範囲に応じたものとする
ことができる。一例として、Ｙｂ：ＹＡＧゲイン素子と共に使用するように構成された薄
膜ノッチフィルタ１２０の波長透過特性３７におけるノッチ１９は、幅２〜６nmとするこ
とができ、そしてフィルタの最大透過に対して１０％〜３０％の深さとすることができる
。
【００１５】
再び図３Ａを参照すれば、反射薄膜ノッチフィルタ１２０は、シード光源１１０からゲ
イン素子１３０内に指向させるように配向されると共に、シード光パルス１１を、図１及
び２を参照して上述したように拡幅してゲイン素子１３０におけるゲイン狭帯域化効果を
補償する。さらに、図１及び２を参照して上述するように、シード光パルス１１の所望の
最適なプリシェイピングは、ノッチの中心波長λfがゲイン素子１３０のゲインピークλ0
と正確に合うことを必要とすることがある。しかし、ゲイン素子１３０が単結晶Ｙｂ：Ｙ
ＡＧ材料等として具体化されている場合のように、ゲイン素子１３０のゲインスペクトル
帯域幅３４が狭く、例えば２〜６nmである実施形態では、薄膜フィルタ１２０の製造にお
いて、ノッチ中心波長λfの所望値を高い信頼性で十分な精度を伴って実現することが困
難なことがある。従って、一実施形態では、フィルタ１２０を回転可能にして、ノッチ中
心波長λfを所望波長に調整することを可能にすることができ、例えばピークゲイン波長
λ0との正確な一致を可能にすることができる。１つの好適な実施形態では、薄膜ノッチ
フィルタ１２０を回転ステージ１１２上に配置して、フィルタを回転させて、フィルタの
波長における透過特性を調整することができる。フィルタ１２０をその回転軸の周りに角
度αだけ回転させることは、シード光源１１０とゲイン素子１３０との光学的位置合わせ
を維持するために、シード光源１１０を同じ軸の周りに２αだけ回転させる必要があり得
ることは明らかである。
【００１６】
ここで図４を参照すれば、光パルス源２００が例示され、光パルス源２００は、図３Ａ
の光パルス源１００の具体例として見ることができ、ここでは、ゲイン素子１３０の遠端
にミラー２３０を追加し、出力カプラ２２５をゲイン素子１３０の（シード源に近い）近
端に追加することによって、シングルパス増幅器１０１をダブルパス増幅器２０１に変換
することができる。ミラー２３０は、ゲイン素子を順方向に通って伝搬して１回目に通過
した後に増幅されたシードパルスを、ゲイン素子の（シード源から離れた）遠端に戻して
、ゲイン素子１３０内をその近端に向けて逆方向に伝搬させる。出力カプラ２２５は、例
えば偏光ビームスプリッタ（ＰＢＳ：polarization beam splitter）を用いて、四分の一
波長板（ＱＷＰ：quarter wave plate）２２３を増幅器２０１のダブルパス構成内に、例
えばミラー２３０の前方に追加して具体化することができる。ＰＢＳ２２５は、ゲイン素
子１３０を通って逆方向に伝搬した後に増幅されたシードパルス１５を、ゲイン素子１３
０の近端から受けて、これらのシードパルス１５を出力方向に再指向させ、シードパルス
１５の偏光は、ＱＷＰ２２３を２回通過することによって、増幅器２０１の入力における
プリシェイピング済シードパルス１３に対して９０度だけ回転している。ダブルパス増幅
器２０１におけるゲイン狭帯域化効果は、ゲイン素子におけるシングルパス・ゲインが同
一または同様であれば、図３Ａの光パルス源１００のシングルパス増幅器１０１における
ゲイン狭帯域化効果よりも強力であり得るので、光源２００内の薄膜ノッチフィルタ１２
０は、光パルス源１００における薄膜ノッチフィルタよりも、その透過特性において幾分
深いノッチを有するように構成することができる。
【００１７】
ここで図５を参照すれば、パルスシェイピング・フィルタ１２０は、図１〜４を参照し
て概略的に上述した透過特性を有する透過薄膜ノッチフィルタ２２０を用いて透過型に構
成することもできる。フィルタ２２０は、例えば薄膜干渉フィルタとすることができ、薄
膜干渉フィルタは、適切に構成された薄膜層の積層を透明基板、例えばガラス基板上に堆
積させることによって製造することができる。図５はダブルパス光増幅器を有する光パル
ス源２００の変形例を例示しているが、透過型フィルタ２２０は、図３Ａに例示するもの
のようなシングルパス構成のゲイン素子を有する実施形態において用いることもできるこ
とは明らかである。
【００１８】
図４及び５を参照して上述したダブルパスの実施形態では、パルスシェイピング・フィ
ルタ２０、１２０及び２２０が、ミラー２３０及び出力カプラ２２５によって形成される
ダブルパス構成の動作上の前段に配置され、これにより、パルスシェイピング・フィルタ
は非増幅のシードパルス１１のみを受ける。光増幅器の動作上の前段に、かつダブルパス
構成２２５〜２３０の外部にパルスシェイピング・フィルタを配置することは、パルスシ
ェイピング・フィルタの薄膜コーティングを光パルスよって損傷させる可能性を低減し、
このことは、高いシングルパス・ゲイン、及び増幅器からの高い出力光パワーを有する実
施形態において特に有利である。しかし、パルスシェイピング・フィルタをマルチパス光
増幅器内に含む実施形態も、本発明の範囲内で想定することができる。１つのこうした実
施形態を図６に例示し、この実施形態は、ミラー２３０及び出力カプラ２２５によって規
定されるダブルパス増幅器４０１のダブルパス光学構成の内部に第２パルスシェイピング
・フィルタ２２１を追加したことが、図５の実施形態と異なる。図示する好適な実施形態
では、第２パルスシェイピング・フィルタ２２１は、ゲイン素子１３０とミラー２３０と
の間に配置された透過型フィルタであり、増幅されるパルスが２回通過する。この構成の
１つの潜在的利点は、干渉フィルタの透過特性において、図５のフィルタ２２０に比べて
、より浅いノッチを有する干渉フィルタを用いることを可能にすることができることにあ
り、こうしたより浅いノッチを有する干渉フィルタは、より容易に製造することができる
。第２透過型フィルタ２２１は、反射薄膜フィルタ１２０を増幅器の前段に有する図４の
実施形態のダブルパス光増幅器２０１内に追加することもできることは明らかである。
【００１９】
種々の実施形態では、パルスシェイピング・フィルタ２０、１２０または２２０を、ゲ
イン素子１３０のベル形ゲインスペクトルの中心波長λ0から２、３ナノメートル離れた
波長の入射光の少なくとも９５％を透過させ、かつゲインピーク波長λ0、あるいはフィ
ルタの透過または反射特性におけるノッチ１９の中心波長λfの入射光の８５％未満を透
過させるように構成することができる。ノイズシェイピング（雑音整形）フィルタ２０の
透過または反射特性におけるノッチ１９の形状、幅、及び深さは、好適には特定のゲイン
素子及び増幅器構成向けに最適化するべきであり、異なる実施形態に対して異ならせるこ
とができる。図９に、７〜１３dBの範囲内のシングルパス・ゲインを有するＹｂ：ＹＡＧ
ゲイン素子を用いたシングルパス増幅器を有する図３の実施形態用のパルスシェイピング
・フィルタ２０の好適な透過特性を例示する。この好適なフィルタは、上述したように反
射または透過薄膜フィルタとして具体化することができ、〜１０３０nmのＹｂ：ＹＡＧゲ
インのピーク波長を中心とするその透過特性において、ノッチを有し、かつ３〜５nmの範
囲内のＦＷＨＭ幅を有するおよそ逆ガウス形の形状を有し、このＦＷＨＭ幅は、上記Ｙｂ
：ＹＡＧゲイン素子のゲインスペクトル幅と一致させるか、このゲインスペクトル幅より
も少し小さくすることができ、その最大透過率の約２０％のノッチの深さを有する。他の
実施形態では、フィルタ透過特性におけるノッチの幅及び深さの目標値を、例えばゲイン
素子のシングルパスまたはダブルパス・ゲインスペクトルのスペクトル形状及びスペクト
ルの大きさに応じて、及び増幅器全体の設計に応じて異ならせることができる。例えば、
一部の実施形態は、フィルタ透過における１０％〜３０％の範囲内の、及び５０％までの
ノッチの深さ、及び２nmまでも小さいノッチスペクトル幅を有するフィルタを利用するこ
とができる。
【００２０】
ここで図７を参照すれば、パルスシェイピング・フィルタ２０をマルチパスフィルタ３
２０として具体化することができ、マルチパスフィルタ３２０は、反射薄膜ノッチフィル
タ１２０に光学的に結合されてマルチパス構成をなすミラー１５５を含む。マルチパスフ
ィルタ３２０内では、シード光パルス１１が、光増幅器に指向される前に薄膜ノッチフィ
ルタ１２０によって２回以上フィルタ処理される。このマルチパスフィルタ構成は、例え
ば、フィルタ透過特性におけるノッチ１９の幅と深さの所望の組合せを有する薄膜フィル
タを高い信頼性で製造することが困難である際に有用であり得る。シードパルスを同じ薄
膜ノッチフィルタ１２０から複数回反射させ、この薄膜フィルタから連続して反射する間
にゲイン素子を通過させないことによって、薄膜フィルタ１２０の設計を増幅器の設計か
らある程度切り離すことができる。こうした薄膜フィルタの設計は、透過特性において、
所定の増幅器における最適なパルス・プリシェイピングにとって望ましいノッチよりも浅
く広幅のノッチを有する薄膜フィルタ１２０の使用も可能にすることができる。マルチパ
ス・パルスシェイピング・フィルタ３２０は、シード光パルス１１が、シングルパスまた
はマルチパス光増幅器３０に入る前に薄膜ノッチフィルタ１２０によって反射されるか薄
膜ノッチフィルタ１２０を透過するように構成することができることが有利であり、この
反射または透過の回数は、シード光パルス１１が増幅器のゲイン素子１３０を通過する回
数よりも多い。図７のマルチパスフィルタ３２０は、上述した実施形態のいずれにおいて
も、増幅器の前段のパルスシェイピング・フィルタとして用いることができることは明ら
かである。マルチパスフィルタ３２０を、図３Ａの光パルス源１００内のシングルパス増
幅器１０１の前段のパルスシェイピング・フィルタ２０として用いる例を、図８に例示す
る。マルチパスフィルタ３２０は、２つのミラー間に配置された透過薄膜ノッチフィルタ
を用いて具体化することができることは明らかである。
【００２１】
上述した好適な実施形態では、受動パルスシェイピング薄膜フィルタを、３〜２０nmの
ゲイン帯域幅を有するシングルパスまたはダブルパス増幅器の前段に用いて、増幅器にお
けるゲイン狭帯域化効果を補償することは、前段にパルスシェイピング・フィルタのない
同じ増幅器に比べて、より短い出力光パルスを２回まで得ることを可能にする。一例とし
て、Ｙｂ：ＹＡＧゲイン素子に基づく従来の光増幅器は、７００〜１２００fsの範囲内の
出力光パルスを提供することができ、この出力光パルスは、上述したように受動パルス・
プリシェイピング・フィルタを光増幅器の前段に追加することによって、３００〜６００
fsまたはそれ未満まで短くすることができる。
【００２２】
上述した好適な実施形態は、あらゆる点で本発明を限定するのではなく例示することを
意図している。従って、本発明は、詳細な実現において、本明細書に含まれる記載から当
業者が導出することができる多数の変形例が可能である。例えば、本明細書に記載した特
定実施形態は、Ｙｂ；ＹＡＧ単結晶ロッド、結晶、ディスク、またはファイバを参照して
説明してきたが、Ｙｂ：ＹＡＧ、Ｙｂ：ＫＹＷ、Ｙｂ：ＫＧＷ、及びＹｂ：ＣＡＬＧＯ材
料（これらだけではないが）のようなＹｂでドープした他の増幅器材料に基づくゲイン素
子、並びに、シングルパス及びダブルパス増幅器設計において有用であり得る２〜１０nm
の帯域幅及び５dB以上のシングルパス・ゲインを提供することができるもののような他の
狭帯域高ゲイン光学材料も、本発明の範囲内で用いることができる。他の例では、図面中
に例示し以上で説明したポンピング、及びシングルパス及びダブルパスの構成は一例に過
ぎず、それぞれの光増幅器の他の適切な構成を本開示に基づいて考えることもできる。こ
れら及び他の変形及び変更のすべてが、以下の特許請求の範囲によって規定する本発明の
範囲内であるものと考えられる。さらに、本発明の原理、態様、及び実施形態、並びにそ
の特定例を挙げた本明細書中のすべての記載は、それらの構造的及び機能的等価物を包含
することを意図している。これに加えて、こうした等価物は、現在知られている等価物、
並びに将来開発される等価物を共に含み、即ち、同じ機能を実行する開発されたあらゆる
要素を、その構造にかかわらず含む。
【００２３】
従って、本発明は、本明細書に記載した特定実施形態によってその範囲を限定されない
。実際に、本発明の他の種々の実施形態、及び本発明に対する変更は、本明細書に記載し
たものに加えて、以上の説明及び添付した図面より通常の当業者にとって明らかである。
従って、こうした他の実施形態及び変更は、本発明の範囲内に入ることを意図している。
さらに、本明細書では、本発明を、特定環境における特定目的での特定の実現に関連して
説明してきたが、その有用性はこれらに限定されず、本発明はいくつもの環境においてい
くつもの目的で有益に実現することができることは、通常の当業者が認める所である。
【図１】
2018026585.tif 000003
【図２】
2018026585.tif 000004
【図３Ａ】
2018026585.tif 000005
【図３Ｂ】
2018026585.tif 000006
【図４】
2018026585.tif 000007
【図５】
2018026585.tif 000008
【図６】
2018026585.tif 000009
【図７】
2018026585.tif 000010
【図８】
2018026585.tif 000011
【図９】
2018026585.tif 000012
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
サブピコ秒のパルス継続時間のシード光パルスを発生するように構成されたシード光源と、
前記シード光パルスを受光し、前記シード光パルスが増幅される前に前記シード光パルスのスペクトルを拡幅して、前記シード光パルスの増幅に伴うゲイン狭帯域化効果を事前補償するように構成されたパルスシェイピング・フィルタと、
ゲインスペクトルを提供するゲイン素子を含み、前記スペクトルを拡幅されたシード光パルスを増幅するように構成された光増幅器とを備えた光パルス源であって、
前記シード光パルスが前記パルスシェイピングフィルタを通過する回数、または前記シード光パルスが前記パルスシェイピングフィルタによって反射される回数が、前記スペクトルを拡幅されたシード光パルスが前記ゲイン素子を通過する回数を超える光パルス源。
【請求項２】
前記パルスシェイピングフィルタがノッチフィルタである、請求項１に記載の光パルス源。
【請求項３】
前記ノッチフィルタが、前記光増幅器がピークゲイン値を有する波長と一致したノッチ中心波長を有する、請求項２に記載の光パルス源。
【請求項４】
前記パルスシェイピング・フィルタが幅２〜６nmのノッチを有する、請求項１に記載の光パルス源。
【請求項５】
前記ゲイン素子がＹｂでドープした材料を含む、請求項１に記載の光パルス源。
【請求項６】
前記ゲイン素子が、少なくとも３dBのゲインの大きさ、及び２０ナノメートル未満のゲイン帯域幅を提供し、
前記ゲインスペクトルがベル形ゲインスペクトルである、
請求項１に記載の光パルス源。
【請求項７】
前記パルスシェイピング・フィルタが、当該パルスシェイピング・フィルタの最大透過に対して１０％〜３０％のノッチの深さを有する、請求項１に記載の光パルス源。
【請求項８】
前記パルスシェイピング・フィルタが、反射面上に配置された薄膜層の積層を含む、請求項１に記載の光パルス源。
【請求項９】
前記パルスシェイピング・フィルタが、透過面上に配置された薄膜層の積層を含む、請求項１に記載の光パルス源。
【請求項１０】
シード光源によって、サブピコ秒のパルス継続時間のシード光パルスを発生するステップと、
反射面上に配置された薄膜層の積層を含むパルスシェイピング・フィルタによって、前記シード光パルスを受光するステップと、
前記シード光パルスが増幅される前に、前記パルスシェイピング・フィルタによって前記シード光パルスのスペクトルを拡幅して、前記シード光パルスの増幅に伴うゲイン狭帯域化効果を事前補償するステップと、
ゲインスペクトルを提供するゲイン素子を含む光増幅器によって、前記スペクトルを拡幅されたシード光パルスを増幅するステップと
を含む方法。
【請求項１１】
前記パルスシェイピングフィルタが備えるノッチフィルタを用いて、前記光増幅器のゲイン狭帯域化効果を減少させるステップをさらに含む、請求項１０に記載の方法。
【請求項１２】
前記前記ゲイン素子がＹｂでドープした材料を含む、請求項１０に記載の方法。
【請求項１３】
前記ゲイン素子が、少なくとも３dBのゲインの大きさ、及び２０ナノメートル未満のゲイン帯域幅を提供し、
前記ゲインスペクトルがベル形ゲインスペクトルである、
請求項１０に記載の方法。
【請求項１４】
前記シード光パルスが前記パルスシェイピングフィルタを透過する回数、または前記シード光パルスが前記パルスシェイピングフィルタによって反射される回数が、前記シード光パルスが前記ゲイン素子を透過する回数を超える、請求項１０に記載の方法。
【請求項１５】
ノッチフィルタを具えたデバイスであって、該ノッチフィルタが、
サブピコ秒のパルス継続時間のシード光パルスをシード光源から受光し、
前記シード光パルスが光増幅器によって増幅される前に、前記シード光パルスのスペクトルを拡幅して、前記シード光パルスの増幅に伴うゲイン狭帯域化効果を事前補償する
ように構成されたデバイス。
【請求項１６】
前記ノッチフィルタが、特定波長における透過特性に関連する最小値を含む、請求項１５に記載のデバイス。
【請求項１７】
前記特定波長が、前記光増幅器のゲインスペクトルの中心波長にほぼ等しい、請求項１６に記載のデバイス。
【請求項１８】
前記ノッチフィルタが、反射面上に配置された薄膜層の積層を含む、請求項１５に記載のデバイス。
【請求項１９】
前記薄膜層の積層の深さ及び幅が、ポンピングパワー及び増幅レベルの目標範囲に関連する情報に基づいて選択された深さ及び幅である、請求項１８に記載のデバイス。
【請求項２０】
前記ノッチフィルタが、当該ノッチフィルタの特定波長を前記光増幅器のゲインスペクトルの中心波長と一致させるために回転可能である、請求項１５に記載のデバイス。
【請求項２１】
前記ノッチフィルタのスペクトル幅がおよそ２０nmである、請求項１５に記載のデバイス。
【請求項２２】
前記ノッチフィルタが、
前記光増幅器がピークゲイン値を有する波長と一致したノッチ中心波長、または
２〜６nmの幅を有するノッチ
の少なくとも一方を有する、請求項１５に記載のデバイス。
【請求項２３】
前記シード光パルスが前記ノッチフィルタを通過する回数、または前記シード光パルスが前記ノッチフィルタによって反射される回数が、前記スペクトルを拡幅されたシード光パルスが前記ゲイン素子を通過する回数を超える、請求項１５に記載のデバイス。
【外国語明細書】
2018026585000001.pdf